(57)【特許請求の範囲】
【請求項１】
底壁(4)から上部開口部に向けて広がるテーパ状の側壁(5)を備えると共に、開口縁に沿って側壁(5)に外向きのフランジ(6)を形成したかご本体(2)において、透視可能なシート状の袋から成る保持シート(10)に収納したシート状情報体(8)を保持装置(11)を介して側壁(5)の内側表面(5a)に添設する構成であり、
前記保持装置(11)は、フランジ(6)の上面側に設けた挟持装置(12a)により、フランジ(6)を上面よりも落ち込むように段差(18)を介して凹入せしめることにより形成された基板手段(15)と、フランジ(6)の外側縁に沿って一体成形された薄肉ヒンジ(17)を介して基板手段(15)に対して重なり合う閉位置と展開された開位置との間で開閉自在となる閉止板手段(16)を構成し、基板手段(15)から上向きに突設された凸部(19a)と、閉止板手段(16)に形成された凹部(19b)を相互に嵌脱自在に設けており、
前記保持シート(10)は、前記凸部(19a)を挿通せしめる孔(19c)を備えた縁部(14)によりヘッダー部を構成しており、
前記孔(19c)と凸部(19a)を介して保持シート(10)の縁部(14)を基板手段(15)に対して位置決めした状態で、閉止板手段(16)を薄肉ヒンジ(17)を介して閉じることにより、該縁部(14)を基板手段(15)と閉止板手段(16)の間に挟着保持せしめると共に、閉止板手段(16)をフランジ(6)の上面と面一になるように段差(18)に嵌入せしめて成ることを特徴とするショッピングかごにおける情報表示装置。
【発明の詳細な説明】
【０００１】
【発明の属する技術分野】
本発明は、スーパー、コンビニ、レンタルビデオショップ、その他の店舗において買物用に供されるショッピングかごに関し、特に、種々の情報を表示するシート状情報体を着脱自在に装着せしめることを可能にした装置に関する。
【０００２】
【従来の技術】
ショッピングかごは、顧客が複数の買物商品を収容するための便宜に供され、かご本体に提手を回動自在に設けている。通常、かご本体は、底壁から上部開口部に向けて広がるテーパ状の側壁を備えており、保管時等の不使用時には多数のかご本体を積層せしめられる。
【０００３】
【発明が解決しようとする課題】
従来のショッピングかごは、専ら買物の便宜に利用され、それ以上の付加価値を有しない。
【０００４】
そこで、ショッピングかごに対して販促表示等の情報を表示した情報体を着脱自在に添設する構成とすれば、付加価値を向上することができ有利である（本明細書において「販促」とは広義に「販売促進」を意味し、また、「情報」とは販売促進の有無に関係なく広く顧客が関心を持つと思われる情報を意味する）。例えば、新規商品や新規営業店舗等に関する広告を表示したシートや、商品等の割引券として利用できるシート等を添設することにより、販促効果が期待され、ショッピングかごに本来の目的機能以上の付加価値を与えることができる。
【０００５】
ところが、ショッピングかごは、多数のかご本体を積層せしめるため、下層のかご本体に対して上層のかご本体を内嵌せしめる構成とされている。即ち、下層のかご本体の側壁の内側面に向けて、上層のかご本体の側壁の外側面が嵌合される構成であるため、情報体を添設せしめるに際しては、情報体が容易に棄損しないように考慮する必要があり、その反面において、情報体を可及的広い空間にわたり添設せしめ、顧客に情報をアピールする必要がある。更に、情報体は、適宜情報の変化に応じて交換する必要があり、従って、着脱容易な構成でなければならない等、多くの課題を有する。
【０００６】
【課題を解決するための手段】
本発明は、上記課題を解決したショッピングかごにおける情報表示装置を提供するものであり、その手段として構成したところは、底壁(4)から上部開口部に向けて広がるテーパ状の側壁(5)を備えると共に、開口縁に沿って側壁(5)に外向きのフランジ(6)を形成したかご本体(2)において、透視可能なシート状の袋から成る保持シート(10)に収納したシート状情報体(8)を保持装置(11)を介して側壁(5)の内側表面(5a)に添設する構成であり、前記保持装置(11)は、フランジ(6)の上面側に設けた挟持装置(12a)により、フランジ(6)を上面よりも落ち込むように段差(18)を介して凹入せしめることにより形成された基板手段(15)と、フランジ(6)の外側縁に沿って一体成形された薄肉ヒンジ(17)を介して基板手段(15)に対して重なり合う閉位置と展開された開位置との間で開閉自在となる閉止板手段(16)を構成し、基板手段(15)から上向きに突設された凸部(19a)と、閉止板手段(16)に形成された凹部(19b)を相互に嵌脱自在に設けており、前記保持シート(10)は、前記凸部(19a)を挿通せしめる孔(19c)を備えた縁部(14)によりヘッダー部を構成しており、前記孔(19c)と凸部(19a)を介して保持シート(10)の縁部(14)を基板手段(15)に対して位置決めした状態で、閉止板手段(16)を薄肉ヒンジ(17)を介して閉じることにより、該縁部(14)を基板手段(15)と閉止板手段(16)の間に挟着保持せしめると共に、閉止板手段(16)をフランジ(6)の上面と面一になるように段差(18)に嵌入せしめて成る点にある。
【０００７】
【発明の実施の形態】
以下図面に基づいて本発明の好ましい実施形態を詳述する。
【０００８】
図１ないし図３は、本発明に基づくショッピングかごにおける情報表示装置の実施形態を示している。
【０００９】
ショッピングかご１は、かご本体２と、提手３、３とから構成されている。かご本体１は、底壁４から上部開口部に向けて広がるテーパ状の側壁５を備えると共に、開口縁に沿って側壁５に外向きのフランジ６を形成しており、合成樹脂により一体成形されている。図例の場合、全体形状をほぼ矩形に形成しているが、その形状は問わない。提手３は、合成樹脂によりほぼ門形に形成されており、両端の軸部をかご本体２に形成されたボス部７に対して起伏回動自在に枢着している。従って、ショッピングかご１は、提手３、３を起立せしめることにより持ち運び自在であり、提手３、３をフランジ６に沿うように伏臥せしめたとき、複数のかご本体２を相互に嵌合せしめることにより積層自在である。
【００１０】
上記は従来公知のショッピングかご１に共通の構成であるが、本発明は、販促表示等の情報を表示したシート状情報体８をかご本体１の所定の表示面に添設可能とする。即ち、ショッピングかご１は、底壁４の内側表面４ａ及び外側表面４ｂと、側壁５の内側表面５ａ及び外側表面５ｂにより表示面を構成しており、従って、図例のようなほぼ矩形状としたかご本体２の場合、底壁４の内外表面による２面と、側壁５の４周面における内外表面による８面との合計１０面から表示面を選択することができる。尚、シート状情報体８は、情報シート９と、該情報シートを収納する透視可能なシート状の袋から成る保持シート１０とから構成されている。情報シート９は、典型的には、新規商品や新規営業店舗等に関する広告を表示したシートや、商品等の割引券として利用できるシート等により構成されるが、その形態を特に限定されるものではなく、要するに、ショッピングかごに本来の目的機能以上の付加価値を与えるシート状物であれば良い。また、保持シート１０は、図例の場合、透明の合成樹脂シートを相互に溶着することにより上端近傍部に開口部を形成したシート状の袋から構成されているが、これに限定されるものではなく、要するに情報シート９を収納状態で保持すると共に外部から視認可能とするものであれば良い。
【００１１】
そこで、かご本体２において選択された表示面にシート状情報体８を添設可能とする保持装置１１が設けられている。図例の場合、側壁４における４周部のそれぞれ内側表面５ａにより選択された表示面にシート状情報体８を添設可能とするように、４周部に対応する保持装置１１が設けられている。即ち、かご本体２の周囲４辺のうち、相対向する短い辺に対応して保持装置１１ａ、１１ａが設けられ、相対向する長い辺に対応して提手３、３の間に保持装置１１ｂ、１１ｂが設けられている。
【００１２】
（保持装置１１ａの構成）保持装置１１ａは、図２及び図３に示すように、かご本体２の側壁５の一部を形成するフランジ６の上側面に設けられた挟持装置１２ａと、底壁４の内側表面４ａに設けられた係止装置１３ａとから構成されている。
【００１３】
挟持装置１２ａは、かご本体２におけるフランジ６を含む側壁４の表示面（図例では内側表面５ａ）に沿ってシート状情報体８の縁部１４を受け止める基板手段１５と、該基板手段１５に対して着脱自在に固着される閉止板手段１６とを備え、基板手段１５と閉止板手段１６によりシート状情報体８の縁部１４を挟着保持するように構成されており、基板手段１５は、かご本体２のフランジ６それ自体により構成されている。そこで、基板手段１５と閉止板手段１６は合成樹脂により一体成形されており、基板手段１５に対して閉止板手段１６を重なり合う位置と展開された位置との間で開閉自在ならしめるようにフランジ６の外側縁に沿って設けられた薄肉ヒンジ１７を介して連結している。この際、基板手段１５をフランジ６の上面よりも落ち込むように段差１８を介して凹入せしめることにより、基板手段１５に重ね合わせられた状態で閉止板手段１６の上面がフランジ６の上面と面一になるように構成している。
【００１４】
基板手段１５と閉止板手段１６は、相互に、少なくとも一方に凸部を設けると共に、他方に該凸部に着脱自在に嵌合される孔又は窪みから成る凹部を設けている。図示実施形態において、このような凹凸による嵌合手段は、基板手段１５に設けた凸部１９ａと閉止板手段１０に設けた凹部１９ｂの他、閉止板手段１０に設けた一対の凸部２０ａ、２０ａと基板手段１５に設けた一対の凹部２０ｂ、２０ｂにより構成されている。尚、凸部２０ａと凹部２０ｂの関係は、図示の場合とは反対に構成しても良い。これに対応して、シート状情報体８における保持シート１０は、ヘッダー部を構成する縁部１４に、前記凸部１９ａ、２０ａ、２０ａを挿通せしめる孔１９ｃ、２０ｃ、２０ｃを開設している。
【００１５】
更に、閉止板手段１６は、長手方向両端部から下向きに延設された舌片２１、２１を設けており、該閉止板手段１６を基板手段１５に重ね合わせたとき、該舌片２１、２１が表示面（側壁５の内側表面５ａ）に対面するように構成しており、該舌片２１、２１と表示面との間に、相互に着脱自在に嵌合される凸部２２ａと凹部２２ｂを設けている。尚、凸部と凹部の関係は、図示の場合とは反対に構成しても良い。
【００１６】
かご本体２における底壁４の内側表面４ａに設けられた係止装置１３ａは、該内側表面４ａから浮き上がると共に該内側表面４ａに対向するように形成された爪片２３により構成されており、該爪片２３は、かご本体２に一体成形されている。
【００１７】
そこで、保持装置１１ａによりシート状情報体８をかご本体２の表示面（即ち、側壁５の内側表面５ａ）に添設するに際しては、先ず、図３（Ａ）に示すように、保持シート１０に所定の情報シート９を収納したシート状情報体８を準備し、薄肉ヒンジ１７を介して閉止板手段１６を基板手段１５から離反せしめ、保持シート１０の縁部１４を基板手段１５に載置する。この際、縁部１４の孔１９ｃに凸部１９ａを挿入せしめることにより、縁部１４が位置決めされる。次いでこの状態から、図３（Ｂ）に示すように、薄肉ヒンジ１７を介して閉止板手段１６を基板手段１５に重ね合わせると、凸部１９ａと凹部１９ｂが相互に嵌合されると共に、凸部２０ａ、２０ａと凹部２０ｂ、２０ｂが相互に嵌合される。従って、シート状情報体８の縁部１４は、基板手段１５と閉止板手段１６により挟着保持され、しかも、孔１９ｃ、２０ｃ、２０ｃに凸部１９ａ、２０ａ、２０ａを挿通せしめられる。そして、閉止板手段１６の舌片２１、２１が凸部２２ａと凹部２２ｂの相互嵌合を介して表示面（側壁５の内側表面５ａ）に係止され、閉止板手段１６を固定する。
【００１８】
前記保持装置１１ａにより縁部１４を挟着保持する他、シート状情報体８の下端縁は、爪片２３の下側に挿入され、係止装置１３ａに係止されるので、シート状情報体８がかご本体２の内側で揺動又はめくれるようなことはない。
【００１９】
このようにしてシート状情報体８を添設したショッピングかご１は、保管時等には、複数個が上下に嵌め入れられ積層されるが、図３（Ｂ）に示すように、シート状情報体８に対して、閉止板手段１６の舌片２１、２１が肉厚ｔに相当して表示面（側壁５の内側表面５ａ）から隆起している。従って、上層のショッピングかご１をスライドさせながら嵌め入れて積層せしめるに際し、シート状情報体８が好適に保護される。
【００２０】
尚、情報シート９の交換その他のために、シート状情報体８を取外すに際しては、閉止板手段１６を強く引き上げれば良い。これにより、舌片２１、２１の凸部２２ａと凹部２２ｂの嵌合が解かれると共に、凸部２０ａ、２０ａと凹部２０ｂ、２０ｂの嵌合が解かれ、閉止板手段１６を基板手段１５から離反せしめることができるので、シート状情報体８を取外すことができる。
【００２１】
（保持装置１１ｂの構成）
保持装置１１ｂは、図２及び図３に示すように、かご本体２の側壁５の一部を形成するフランジ６の上側面に設けられた挟持装置１２ｂ、底壁４の内側表面４ａに設けられた係止装置１３ｂとから構成されている。挟持装置１２ｂは、上述した保持装置１１ａにおける挟持装置１２ａと同様の構成であり、図例の場合、挟持装置１２ａについて説明した舌片２１、２１を有しない点においてのみ唯一相違しているが、舌片２１、２１と同様の構成を具備せしめても良い。また、係止装置１３ｂは、上述した保持装置１１ａにおける係止装置１３ａと同様の構成である。従って、保持装置１１ｂにおける挟持装置１２ｂ及び係止装置１３ｂの詳細は、上述した保持装置１１ａの説明を援用する。
【００２２】
（その他の実施形態）上記実施形態において、シート状情報体８の下縁部は、爪片２３の下側に挿入され、係止装置１３ａに係止される構成とされているが、シート状情報体８の下縁部を保持する保持具２４の実施形態を図４に示している。
【００２３】
保持具２４は、図４に示すように、シート状情報体８の縁部を受け止める基板手段１５と、該基板手段１５に対して着脱自在に固着される閉止板手段１６とを備え、基板手段１５と閉止板手段１６によりシート状情報体８の下縁部１４ｂを挟着保持するように構成されている。
【００２４】
基板手段１５と閉止板手段１６は、相互に、少なくとも一方に凸部を設けると共に、他方に該凸部に着脱自在に嵌合される孔又は窪みから成る凹部を設けている。図例の構成において、このような凹凸による嵌合手段は、閉止板手段１６に設けた凸部２０ａ、２０ａと基板手段１０に設けた凹部２０ｂ、２０ｂにより構成しているが、凸部と凹部の関係は、図示の場合とは反対に構成しても良く、更に、これらの凹凸に加えて更に別の凹凸（例えば上記実施形態について説明した凸部１９ａと凹部１９ｂ等）を設けても良い。これに対応して、シート状情報体８における保持シート１０は、底部を構成する下縁部１４ｂに前記凸部２０ａ、２０ａを挿通せしめる孔２０ｃ、２０ｃを開設している。
【００２５】
基板手段１５は、裏面に着脱手段２５、２５を設けており、図例の場合、基板手段１５の裏面に図４（Ｂ）に示すような溝２６により分割された拡縮自在な筒状突起２７を一体成形することにより着脱手段２５を構成している。
【００２６】
そこで、図４（Ａ）に示すように、表示面に添設される１枚のシート状情報体８に対して、シート状情報体８の下部を挟着保持する保持具２４が配置され、これに対応して、かご本体２の側壁５と底壁４の境界近傍部には孔又は窪み等から成る取付凹部２９、２９が設けられている。図例の場合、取付凹部２９、２９は、側壁５に設けているが、底壁４に設けても良い。
【００２７】
保持具２４は、薄肉ヒンジ１７を下向きに配置すると共に基板手段１５をほぼ垂直姿勢に配置した状態で、着脱手段２５、２５を側壁５の取付凹部２９、２９に嵌着せしめられる。この際、基板手段１５を受け入れるように側壁５を内側から外側に向けて凹入するように構成しても良い。
【００２８】
保持具２４は、薄肉ヒンジ１７を介して閉止板手段１６を基板手段１５から離反せしめ、その状態で、シート状情報体８の下縁部１４ｂを保持具２４の基板手段１５と閉止板手段１６の間に位置せしめる。次いでこの状態から、薄肉ヒンジ１７を介して閉止板手段１６を基板手段１５に重ね合わせると、凸部２０ａ、２０ａと凹部２０ｂ、２０ｂが相互に嵌合され、これにより、シート状情報体８の下縁部１４ｂは、保持具２４の基板手段１５と閉止板手段１６により挟着保持され、しかも、孔２０ｃ、２０ｃに凸部２０ａ、２０ａを挿通せしめられる。
【００２９】
【発明の効果】
本発明によれば、ショッピングかご１におけるかご本体２の表示面にシート状情報体８を添設することができるので、販促効果等を向上し、ショッピングかご１に新たな付加価値を与えることができるという利点がある。
【００３０】
特に、本発明によれば、基板手段１５と閉止板手段１６によりシート状情報体８の縁部１４を挟着保持せしめる構成であるから、シート状情報体８を幅方向に沿って安定保持することができ、しかも、閉止板手段１６を基板手段１５に対して着脱せしめるだけで、シート状情報体８を簡単容易に取付け又は取外すことができるという効果がある。
【００３１】
また、本発明によれば、基板手段１５と閉止板手段１６のうち、一方に凸部２０ａ、２０ａ（１９ａ）を設けると共に、他方に凹部２０ｂ、２０ｂ（１９ｂ）を設け、シート状情報体８の縁部１４に開設した孔２０ｃ、２０ｃ（１９ｃ）に前記凸部２０ａ、２０ａ（１９ａ）を挿通せしめる構成であるから、凸部と凹部の嵌合構成により、基板手段１５と閉止板手段１６の嵌着固定手段と、シート状情報体８の脱落防止手段との二つの機能を同時に奏することができるという利点がある。
【００３２】
更に、本発明によれば、基板手段１５と閉止板手段１６を薄肉ヒンジ１７により連結されたものとして合成樹脂により一体成形した構成であるから、取り扱いが簡便であり、シート状情報体８の取付け又は取外しを容易に行うことができるという効果がある。
【００３３】
特に、本発明によれば、（１）基板手段１５がフランジ６の上面を段差１８を介して凹入形成されており、閉止板手段１６が基板手段１５に対して薄肉ヒンジ１７を介して開閉自在に一体形成されており、閉止板手段１６が閉じられた状態でフランジ６の上面と面一になるように構成されている点、（２）基板手段１５の凸部１９ａと、閉止板手段１６の凹部１９ｂ（孔又は窪み）により嵌脱自在な嵌合手段を構成しており、閉止板手段１６を開いた状態で、シート状情報体１０の孔１９ｃを凸部１９ａに係止することによりその位置決め（仮止め）が可能になるように構成されている点に特徴があり、これにより優れたショッピングかごにおける情報表示装置を提供することができるという効果がある。
【図面の簡単な説明】
【図１】本発明の実施形態を実施したショッピングかごを示す斜視図である。
【図２】実施形態を破断して示しており、（Ａ）は部分斜視図、（Ｂ）は要部の拡大斜視図である。
【図３】実施形態の断面を示しており、（Ａ）はシート状情報体を取付ける前の状態を示す縦断面図、（Ｂ）はシート状情報体を取付けた状態を示す縦断面図である。
【図４】シート状情報体の下縁部を保持する保持具の例を示しており、（Ａ）は要部の拡大斜視図、（Ｂ）は保持具の背面部を示す斜視図である
【符号の説明】
１    ショッピングかご
２    かご本体
４    底壁
５    側壁
６    フランジ
８    シート状情報体
９    情報シート
１０    保持シート
１１    保持装置
１２    挟持装置
１３    係止装置
１４    縁部
１５    基板手段
１６    閉止板手段
１７    薄肉ヒンジ
１９ａ、２０ａ  凸部
１９ｂ、２０ｂ  凹部
１９ｃ、２０ｃ  孔
２１    舌片
２３    爪片
２４    保持具
２５    着脱手段
２９    取付凹部
【図１】
0003593103.tif 000002
【図２】
0003593103.tif 000003
【図３】
0003593103.tif 000004
【図４】
0003593103.tif 000005